(57)【特許請求の範囲】
【請求項１】
撮影対象を載せるための円形ターンテーブルと、
前記円形ターンテーブルの端部の一部に沿って設立されているスクリーンと、
前記スクリーンを背景として撮影対象を撮影するため、円形ターンテーブルの外に立脚する撮影カメラと、
前記円形ターンテーブルを駆動する駆動部と、
前記スクリーンに映像を投影する投影部と、
利用者からの操作入力を受け付ける操作入力部と、
受け付けた操作入力に応じて駆動部と投影部とを同期制御する同期制御部と、
を有するスタジオシステム。
【請求項２】
撮影カメラの映像と置換用映像とを合成する第一合成部と、
クロマキー置換可能な映像を投影する投影部に備えられたクロマキー投影手段と、
第一合成部にて合成に利用する置換用映像およびスクリーン用のクロマキー置換可能な映像を出力する第一置換用映像出力部と、
同期制御部に備えられ第一置換用映像出力部をも同期制御する第一置換同期制御手段と、
を有する請求項１に記載のスタジオシステム。
【請求項３】
撮影対象を載せるための円形ターンテーブルと、
前記円形ターンテーブルの端部の一部に沿って設立されているクロマキー用スクリーンと、
前記スクリーンを背景として撮影対象を撮影するため、円形ターンテーブルの外に立脚する撮影カメラと、
前記円形ターンテーブルを駆動する駆動部と、
利用者からの操作入力を受け付ける操作入力部と、
撮影カメラの映像と置換用映像とを合成する第二合成部と、
第二合成部にて合成に利用する置換用映像を出力する第二置換用映像出力部と、
受け付けた操作入力に応じて駆動部と第二置換用映像出力部を同期制御する第二置換同期制御手段を備える同期制御部と、
を有するスタジオシステム。
【請求項４】
前記撮影カメラを前記円形ターンテーブル上空の任意位置に移動可能なように吊下げる前記ターンテーブル外に配置されるテレスコピッククレーンをさらに有する請求項１から３のいずれか一に記載のスタジオシステム。
【請求項５】
撮影対象を載せるための円形ターンテーブルと、前記円形ターンテーブルの端部に沿って設立されているスクリーンと、前記スクリーンを背景として撮影対象を撮影するため、円形ターンテーブルの外に立脚する撮影カメラと、を備えたスタジオシステムにおける撮影方法であって、
前記円形ターンテーブルを駆動する駆動ステップと、
前記スクリーンに映像を投影する投影ステップと、
利用者からの操作入力を受け付ける操作入力ステップと、
受け付けた操作入力に応じて駆動ステップと投影ステップとを同期制御する同期制御ステップと、
を計算機に実行させる撮影方法。
【請求項６】
撮影カメラの映像と置換用映像とを合成する第一合成ステップと、
クロマキー置換可能な映像を投影する前記投影ステップに含まれるクロマキー投影ステップと、
第一合成ステップにて合成に利用する置換用映像およびスクリーン用のクロマキー置換可能な映像を出力する第一置換用映像出力ステップと、
同期制御ステップに含まれ第一置換用映像出力ステップをも同期制御する第一置換同期制御ステップと、をさらに計算機に実行させる請求項５に記載の撮影方法。
【請求項７】
撮影対象を載せるための円形ターンテーブルと、前記円形ターンテーブルの端部に沿って設立されているクロマキー用スクリーンと、前記クロマキー用スクリーンを背景として撮影対象を撮影するため、円形ターンテーブルの外に立脚する撮影カメラと、を備えたスタジオシステムにおける撮影方法であって、
前記円形ターンテーブルを駆動する駆動ステップと、
利用者からの操作入力を受け付ける操作入力ステップと、
撮影カメラの映像と置換用映像とを合成する第二合成ステップと、
第二合成ステップにて合成に利用する置換用映像を出力する第二置換用映像出力ステップと、
受け付けた操作入力に応じて駆動ステップと第二置換用映像出力ステップを同期制御する第二置換同期制御ステップを含む同期制御ステップと、
を計算機に実行させる撮影方法。
【発明の詳細な説明】
【技術分野】
【０００１】
本発明は、撮影対象の全周囲などにあたかも背景があるかのように撮影することができるスタジオシステムに関する。
【背景技術】
【０００２】
従来、スタジオ内で所定の背景をバックとした映像を撮影しようとする場合、所定の背景を再現するセットを組んで撮影する方法などで実現することができる。しかし、そのようなセットを組むためには費用、時間、労力などがかかってしまう。そこで、スタジオ内にスクリーンを円周状に立てて、その内部にて被写体を撮影するとともにスクリーンに映像を投影する、あるいは撮影後に映像内の（ブルーバック）スクリーンに対してクロマキー合成処理をすることなどによって、安価かつ容易にスタジオ内で所定の背景をバックとした映像を撮影することができる。
【特許文献１】特開２００４−５６７４２号公報
【発明の開示】
【発明が解決しようとする課題】
【０００３】
しかし、上記従来の撮影方法には以下のような課題がある。すなわち撮影スタジオ内には、撮影の演出や管理をするディレクターをはじめとする現場スタッフがおり、円周スクリーンの外から円周スクリーン内部の被写体やカメラワークなどに対して指示を送る必要がある。また照明やその他機材も円周スクリーンの外に配置しておく必要がある。そのため完全円周スクリーン（円周が閉じているスクリーン）を使用する場合、円周スクリーン内の様子が把握できず指示が出しづらい、あるいは上手く照明やその他機材を円周スクリーン内部にて機能させることが難しい、といった課題である。
【０００４】
また、逆に半円周スクリーン（円周の一部が開いているスクリーン）を使用すると、スクリーンがない部分についてはバックの背景を入れることができず、全周囲に背景があるような映像は撮影できないことになる。
【課題を解決するための手段】
【０００５】
上記課題を解決するために、本発明は以下のような構成を備えることで半円周スクリーンを使用しながらも、全周囲で背景映像をバックとする映像を撮影することができるスタジオシステムを提供する。具体的に、撮影対象を載せるための円形ターンテーブルと、前記円形ターンテーブルの端部に沿って設立されているスクリーンと、スクリーンを背景として撮影対象を撮影するため、円形ターンテーブルの外に立脚する撮影カメラと、を備えたスタジオシステムである。
【０００６】
すなわち、スクリーンの開き部分にバックの背景映像が必要な場合は、カメラとは独立して動く円形ターンテーブルに被写体を載せて回転させることで被写体の角度を変えて、バックにスクリーンのある状態で映像を撮影する、という具合である。
【０００７】
また上記構成を基本として、撮影カメラを円形ターンテーブル外部のテレスコピッククレーンに吊るして撮影するよう構成されたスタジオシステムも提供する。具体的に、上記構成に加えて、前記撮影カメラを前記円形ターンテーブル上空の任意位置に移動可能なように吊下げる前記ターンテーブル外に配置されるテレスコピッククレーンをさらに有するスタジオシステムである。
【０００８】
また上記構成において、スクリーンに対して円形ターンテーブルの回転と同期させて背景映像を投影する機能をさらに備えるスタジオシステムも提供する。具体的に、上記構成に加えて、前記円形ターンテーブルを駆動する駆動部と、前記スクリーンに映像を投影する投影部と、利用者からの操作入力を受け付ける操作入力部と、受け付けた操作入力に応じて駆動部と投影部とを同期制御する同期制御部と、を有するスタジオシステムである。
【０００９】
また上記構成に加えて、さらに撮影カメラの映像と置換用映像とを合成する第一合成部と、クロマキー置換可能な映像を投影する投影部に備えられたクロマキー投影手段と、第一合成部にて合成に利用する置換用映像およびスクリーン用のクロマキー置換可能な映像を出力する第一置換用映像出力部と、同期制御部に備えられ第一置換用映像出力部をも同期制御する第一置換同期制御手段と、を有する請求項３に記載のスタジオシステムも提供する。
【００１０】
また、上記構成において投影部を有さず、その替わりに、前記スクリーンはクロマキー用スクリーンであり、撮影カメラの映像と置換用映像とを合成する第二合成部と、第二合成部にて合成に利用する置換用映像を出力する第二置換用映像出力部と、同期制御部に備えられ第二置換用映像出力部をも同期制御する第二置換同期制御手段と、を有するスタジオシステムも提供する。
【発明の効果】
【００１１】
以上のような構成をとる本発明によって、ディレクターなどが半円周スクリーンの開いている箇所から内部の様子を視認することもでき、また、照明やその他機材を機能させることができるとともに、被写体をあらゆる角度から撮影してもそのバックに背景があるかのような、例えば全円周の映像であっても撮影することができる。
【発明を実施するための最良の形態】
【００１２】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１について説明する。また、実施例２は、主に請求項２について説明する。また、実施例３は、主に請求項３、６について説明する。また、実施例４は、主に請求項４、７について説明する。また、実施例５は、主に請求項５、８について説明する。
【００１３】
≪実施例１≫
【００１４】
<概要>
【００１５】
図１は、本実施例のスタジオシステムによる映像撮影の概要、および構成の一例を説明するための図である。この図にあるように、本実施例のスタジオシステムでは、「円形ターンテーブル」（０１０１）が設けられ、その上に被写体が載せられている。また、この円形ターンテーブルの端部に沿って半周状の「スクリーン」（０１０２）が設立されており、また、円形ターンテーブルの回転に影響されない外側に「撮影カメラ」（０１０３）が備えられている。そして、半周状スクリーンの開いている側に撮影の演出などの指示を出すディレクターやその他スタッフがおり、また照明機材ははじめとする各種撮影用の機材がセッティングされている。
【００１６】
ここで、撮影しながらカメラを半周させてバックにスクリーンが無い別の角度から被写体を撮影しようとする。そのような場合、本実施例のスタジオシステムでは、カメラを回転させる替わりに「円形ターンテーブル」を回転駆動させることで、その上に載っている被写体を回転させる。そして円形ターンテーブルの回転に影響されない外側に設置されている「撮影カメラ」で「スクリーン」を背景とする映像の撮影を行う。
【００１７】
そして、例えば「スクリーン」をブルーバックスクリーンとして、撮影した映像に後から背景映像をクロマキー合成することで、被写体を中心としてその全周囲を背景に含めた映像を撮影する、という具合である。あるいは、映像の撮影時点で「スクリーン」に対してターンテーブルの回転と同期して遷移する背景映像を投影することで、被写体を中心としてその全周囲を背景に含めた映像を撮影するよう構成しても良い。
【００１８】
<構成>
【００１９】
以下、本実施例のスタジオシステムにおける構成要件である、上記の「円形ターンテーブル」（０１０１）と、「スクリーン」（０１０２）と、「撮影カメラ」（０１０３）とについて、その一例をさらに詳細に説明する。
【００２０】
「円形ターンテーブル」（０１０１）は、撮影対象を載せるための、円形のターンテーブルである。そして、この「円形ターンテーブル」に被写体を載せて回転させることで、撮影カメラを大きく動かさずとも様々な角度から、常に後述のスクリーンが背景となるように被写体を撮影することができる。
【００２１】
「スクリーン」（０１０２）は、円形ターンテーブルの端部の一部に沿って設立されているスクリーンである。具体的に、このスクリーンは例えば図１に示すような半円筒状のスクリーンが挙げられる。その他にも、図２に示すような半円錐台状や逆半円錐台状のスクリーンであっても良い。
【００２２】
そして、このスクリーンが円形ターンテーブル端部の一部に沿って設立された「開放形状」であることで、そのスクリーンが省かれた方向にスタッフや撮影機材などを配置する領域を確保することができる。
【００２３】
また、本実施例では前述のように円形ターンテーブルの回転を利用するため、被写体の全方向撮影などに際して撮影カメラを全回転などさせる必要が無い。スクリーンが半（開放形状の）円筒状などであっても、その開放部分を避けて常にスクリーンを背景とした映像を撮影することができる、という具合である。
【００２４】
またこの「スクリーン」は、例えばクロマキー合成用のブルーバックなどの所定単一色のスクリーンであっても良い。その場合には、撮影後の映像に含まれるブルーバック部分に撮影カメラの回転に合わせて遷移する背景映像をクロマキー合成し、全方向から撮影したかのような全周囲映像などを作成することができる。
【００２５】
あるいは実施例３にて後述するように、撮影時点でこの「スクリーン」に対してターンテーブルの回転と同期して遷移する背景映像を投影することで、全方向から撮影したかのような全周囲映像などを作成することもできる。
【００２６】
「撮影カメラ」（０１０３）は、前記スクリーンを背景として撮影対象を撮影するため、円形ターンテーブルの外に立脚するカメラをいう。そして本発明では、このように撮影カメラが円形ターンテーブルの外に立脚しているので、ターンテーブルの回転の影響を受けずに撮影することができる、という具合である。なお、「円形ターンテーブルの外に立脚」するための方法としては、例えば図１に示すように天井部分から吊り下げて配置する方法や、スクリーン開放側の円形ターンテーブルの外に配置する方法などが挙げられる。
【００２７】
<効果の簡単な説明>
【００２８】
以上のように本実施例のスタジオシステムによって、ディレクターなどがスクリーンの開放部分から内部の様子を視認したり、照明やその他機材を機能させたりすることができるとともに、被写体のバックの全周囲に背景があるかのような映像を撮影することができる。
【００２９】
≪実施例２≫
【００３０】
<概要>
【００３１】
図３は、本実施例のスタジオシステムによる映像撮影の概要、および構成の一例を説明するための図である。この図にあるように、本実施例のスタジオシステムでは、上記実施例を基本として「円形ターンテーブル」（０３０１）が設けられ、また、この円形ターンテーブルの端部に沿って半周状の「スクリーン」（０３０２）が設立されており、また「撮影カメラ」（０３０３）が備えられている。
【００３２】
そして本実施例の特徴点は、この図にあるように撮影カメラが「テレスコピッククレーン」（０３０４）に吊り下げられている点である。
【００３３】
<構成>
【００３４】
以下、本実施例のスタジオシステムにおける構成要件である「テレスコピッククレーン」（０３０４）について、その一例をさらに詳細に説明する。なお、その他の「円形ターンテーブル」、「スクリーン」、「撮影カメラ」についてはすでに記載済みであるのでその説明が省略する。
【００３５】
「テレスコピッククレーン」（０３０４）は、撮影カメラを前記円形ターンテーブル上空の任意位置に移動可能なように吊下げ、前記ターンテーブル外に配置されることを特徴とする。なお、「テレスコピッククレーン」とは、撮影カメラを吊り下げる腕部分が軸の方向に伸縮する機能を備えるクレーンをいう。したがってターンテーブルの外から撮影カメラが吊り下げられた腕部分を伸縮させることで、図４に示すようにターンテーブルの回転中であっても、その回転の影響を受けることなく被写体のクローズアップ映像や、望遠映像などを撮影することができる。
【００３６】
また、図５に示すようにテレスコピッククレーンで撮影カメラを前記円形ターンテーブル上空の任意位置、例えば図中Ａ，Ｂ，Ｃ，Ｄなどに移動可能であるため、スクリーンを背景としつつ様々な映像を撮影することができるので、画面変化を多様に付けた撮影を行うことができる。
【００３７】
<効果の簡単な説明>
【００３８】
以上のように本実施例のスタジオシステムによって、円形ターンテーブルの回転の影響を受けることなく被写体のクローズアップ映像や、望遠映像などを様々な角度から撮影することができるので、画面変化を多様に付けた撮影を行うことができる。
【００３９】
≪実施例３≫
【００４０】
<概要>
【００４１】
図６は、本実施例のスタジオシステムにおける全周囲映像などの撮影方法の一例を表す概念図である。この図６（ａ）にあるように、ターンテーブル上に出演者Ａがいる状態でターンテーブルを右回転させる。すると、図６（ｂ）に示すように、出演者Ａはカメラに対して右回転することになる。そして、それとともにスクリーンに投影されている背景映像Ｂも、その回転に同期して右方向に遷移した映像とする。そして、図６（ｃ）にあるように、さらにターンテーブルの回転を続けていき、かつ背景映像Ｂの遷移も同様に同期して行うことで、あたかも出演者などの全周囲にも撮影物があるかのような映像を生成することができる、という具合である。
【００４２】
以上のように本実施例のスタジオシステムでは、スクリーンに対し、ターンテーブルの回転に同期して遷移する背景映像を投影することで、リアリティのある全周囲映像などを撮影することができる。
【００４３】
<機能的構成>
【００４４】
図７は、本実施例のスタジオシステムにおける機能ブロックの一例を表す図である。この図にあるように、本実施例の「スタジオシステム」（０７００）は、上記実施例１を基本として、「円形ターンテーブル」（０７０１）と、「スクリーン」（０７０２）と、「撮影カメラ」（０７０３）と、を備える。また実施例２を基本として、図示しない「テレスコピッククレーン」に「撮影カメラ」が吊り下げられていても構わない。なお、これら構成要件は、上記実施例にて記載済みであるので説明は省略する。
【００４５】
そして、本実施例の特徴点は、スタジオシステムがさらに「駆動部」（０７０４）と、「投影部」（０７０５）と、「操作入力部」（０７０６）と、「同期制御部」（０７０７）と、を有する点である。
【００４６】
なお、以下に記載する本スタジオシステムの機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザーインターフェース用アプリケーションなどが挙げられる。
【００４７】
そして主メモリ上に展開したプログラムに従ったＣＰＵの演算処理によって、入力デバイスやその他インターフェースなどから入力されメモリやハードディスク上に保持されているデータなどが加工、蓄積されたり、上記各ハードウェアやソフトウェアを制御するための命令が生成されたりする。また、この発明はシステムとして実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００４８】
「駆動部」（０７０４）は、前記円形ターンテーブルを駆動する機能を有し、例えば大型モータなどの回転動力器やその回転制御機構などで実現することができる。そして、駆動部にて円形ターンテーブルの回転タイミングや回転速度、回転方向などの駆動制御を行うことで、その回転と、後述する投影される背景映像の遷移などとを同期するよう制御することができる。
【００４９】
「投影部」（０７０５）は、前記スクリーン（０７０２）に映像を投影する機能を有し、例えば、背景映像などを再生する再生装置と、その再生映像をスクリーンに投影するレンズなどを備えた投影機などによって実現することができる。このように投影部にてスクリーンに背景映像などを投影することで、本来背景の無いスタジオ内にて所望の背景の映像を撮影することができる。
【００５０】
「操作入力部」（０７０６）は、利用者からの操作入力を受け付ける機能を有し、例えば操作パネルなどの入力デバイスやＧＵＩ（グラフィカル・ユーザー・インターフェース）によって実現することができる。そしてこの操作入力部にて、ディレクターなどが所望するタイミングで、その回転方向や回転スピードなどを指定する操作入力を受け付けることで、次の同期制御部の機能が実行されることになる。
【００５１】
「同期制御部」（０７０７）は、受け付けた操作入力に応じて駆動部と投影部とを同期制御する機能を有し、例えばＣＰＵなどの演算装置などによって実現することができる。また、「駆動部と投影部との同期制御」とは、具体的に駆動部での円形ターンテーブルの回転タイミング、方向、スピードなどと、投影部にて投影される映像の遷移タイミング、方向、スピードなどを同期させることをいう。
【００５２】
図８は、この駆動部と投影部との同期制御の一例を表す図である。この図にあるよう撮影カメラを移動せずに、撮影カメラをαからβに移動したかのような映像を撮影したい。しかし、実際にカメラを移動させると、スクリーンの長さが足りず、背景映像βが切れて撮影されてしまうことになる。
【００５３】
そこで、まず撮影カメラをαの位置に配置し、被写体のｘ側面と背景映像αが写るよう撮影する。そして、円形テーブルを矢印方向に回転させることで被写体も回転し、撮影カメラでは被写体のｙ側面が撮影される事になる。また、その回転タイミング、方向、スピードと同期して、スクリーンに投影する映像をαからβに遷移するよう制御する。このようにして、実際には撮影カメラをα位置に固定しつつ、被写体αの周囲をカメラが移動して撮影したかのような映像を撮影することができる、という具合である。
【００５４】
<処理の流れ>
【００５５】
図９は、本実施例のスタジオシステムにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【００５６】
この図にあるように、まず、撮影対象を載せた円形ターンテーブルを駆動し回転させる（ステップＳ０９０１）。また、円形ターンテーブルの端部に沿って設立されているスクリーンに背景などの映像を投影する（ステップＳ０９０２）。そして、操作パネルなどを利用した操作入力を受け付ける（ステップＳ０９０３）と、前記円形ターンテーブルの回転駆動の例えばタイミング、方向、スピードなどと、前記スクリーンの映像投影の例えば遷移のタイミング、方向、スピードなどと、を同期するよう制御し（ステップＳ０９０４）、撮影カメラで映像を撮影する（ステップＳ０９０５）。
【００５７】
<効果の簡単な説明>
【００５８】
以上のように本実施例のスタジオシステムによって、スクリーンに対し、ターンテーブルの回転に同期して遷移するなどする背景映像を投影するができる。したがってよりリアリティのある全周囲映像などを撮影することができる。
【００５９】
≪実施例４≫
【００６０】
<概要>
【００６１】
本実施例は、上記実施例３を基本として、円形ターンテーブルを回転させ、またその回転に同期して半円周スクリーンに映像を投影することで、あたかも全周囲に背景があるかのような映像を撮影するスタジオシステムである点は同様である。そして、本実施例の特徴点は、スクリーンに投影する映像が、実施例３のような背景映像そのものなどではなく、撮影後に実行する背景映像のクロマキー合成の際に置換可能なモノクロの背景映像である点である。
【００６２】
具体的に、通常のクロマキー合成の際にはスクリーンをブルーバックスクリーンなどとして撮影し、撮影された映像中のブルーの色を抜き背景映像を置換することで映像の合成を行う。しかし、それでは実際の撮影時には背景が全く無いことになり、例えば出演者が背景を指し示すなどの動作をする際には、出演者が想像しながら当該動作を行う必要があり、そのため不自然な動きになってしまうなどの可能性があった。
【００６３】
そこで本実施例では、クロマキー置換可能なモノクロの背景映像を投影することで、出演者はスクリーンのモノクロ背景映像を視認しながら動作をすることができる。そしてそのモノクロ背景映像はクロマキー置換可能な映像であるので、撮影後のクロマキー合成できれいな背景映像を合成することができる、という具合である。
【００６４】
そして、さらに本実施例では、クロマキー置換可能なモノクロ映像と、合成部におけるクロマキー合成への背景映像出力を同期させる事で、撮影と同時にクロマキー処理が実行できることをもう一つの特徴とする。
【００６５】
<機能的構成>
【００６６】
図１０は、本実施例のスタジオシステムにおける機能ブロックの一例を表す図である。この図にあるように、本実施例の「スタジオシステム」（１０００）は、上記実施例３を基本として、「円形ターンテーブル」（１００１）と、「スクリーン」（１００２）と、「撮影カメラ」（１００３）と、「駆動部」（１００４）と、「投影部」（１００５）と、「操作入力部」（１００６）と、「同期制御部」（１００７）と、を備える。またその他にも図示しない「テレスコピッククレーン」に「撮影カメラ」が吊り下げられていても構わない。なお、これら構成要件は、上記実施例にて記載済みであるので説明は省略する。
【００６７】
そして、本実施例の特徴点は、スタジオシステムがさらに「第一合成部」（１００８）と、「クロマキー投影手段」（１００９）と、「第一置換用映像出力部」（１０１０）と、「第一置換同期制御手段」（１０１１）と、を有する点である。
【００６８】
「第一合成部」（１００８）は、撮影カメラの映像と置換用映像とを合成する機能を有し、ＣＰＵなどの演算装置や映像合成プログラムなどによって実現することができる。具体的に、この第一合成部での合成処理は「クロマキー合成」、すなわち特定色（クロマ）の領域を背景映像に置換する事で背景映像を合成する処理により実現される。そして後述するように本実施例のスタジオシステムでは、従来のようなクロマの領域をブルーバックスクリーンを利用して構成するのでは無く、単色で輝度を表すモノクロ色で背景を示すクロマキー置換用の映像が投影された無彩色などのスクリーンを利用して構成することを特徴とする。
【００６９】
図１１は、第一合成部におけるクロマキー合成処理の一例を説明するための概念図である。この図１１（ａ）にあるように、本実施例では後述するクロマキー投影手段からスクリーンに対してクロマキー置換可能なモノクロ（単色）で輪郭などが示される背景映像が投影されている。そしてこの第一合成部では、クロマキー合成処理によってそのモノクロ画像の置換処理を行い、図１１（ｂ）に示すように色付の背景映像を合成する、という具合である。なお、クロマ領域を背景映像に置換するクロマキー技術そのものは従来技術と同様であるのでその説明は省略する。
【００７０】
「クロマキー投影手段」（１００９）は、投影部（１００５）に備えられ、クロマキー置換可能な映像を投影する機能を有する。「クロマキー置換可能な映像」とは、具体的には特定色の「スクリーン」に対してスクリーンと同じ特定色で、かつ輝度を変化させたモノクロ映像などがあげられる。このようにスクリーンの特定色と同色でかつ輝度が異なるモノクロ映像を投影することで、出演者は合成される背景の輪郭などを視認しながら演技ができる。そしてさらに撮影後に映像に対してクロマキー置換による色のついた背景映像の合成を行うことができる。
【００７１】
なおクロマキー投影手段からの投影は、上記のように特定色のスクリーンに対してモノクロ背景映像を投影する以外に、例えば無彩色（例えば白など）のスクリーンに対してモノクロ映像を投影すると共にスクリーン全体が特定色となるような映像を投影するよう構成しても良い。
【００７２】
「第一置換用映像出力部」（１０１０）は、第一合成部（１００８）にて合成に利用する置換用映像およびスクリーン用のクロマキー置換可能な映像を出力する機能を有する。具体的に、合成に利用する置換用映像（すなわち色付の完全な背景映像）と、クロマキー置換可能な映像（モノクロの背景映像）とは、色に関する情報以外は同一の映像情報である。したがって、後述する第一置換同期制御部にて両映像の出力タイミングを同期する、すなわちクロマキー投影手段からの投影タイミングと第一合成部での合成タイミング（第一合成部への背景映像出力タイミング）とを同期させることができるため、リアルタイムにクロマキー合成処理を実行することができる。
【００７３】
なお、この第一置換用映像出力部では、「合成に利用する置換用映像」と「スクリーン用のクロマキー置換可能な映像」とを別個に保持し、出力するよう構成しても良いし、一の映像ソースのみを保持しておき、出力に際して色情報を適宜設定することで両映像情報を生成し別々に出力するよう構成しても良い。
【００７４】
「第一置換同期制御手段」（１０１１）は、同期制御部（１００７）に備えられ、第一置換用映像出力部をも同期制御する機能を有する。なお「第一置換用映像出力部の同期制御」とは、前述のとおり「合成に利用する置換用映像」と「クロマキー置換可能な映像」との出力タイミングや再生スピードなどを同期制御することをいい、具体的にＣＰＵなどの演算装置から当該同期制御用の命令信号を第一置換用映像出力部に対して送信することで実現できる。
【００７５】
以上のようにして、本実施例のスタジオシステムでは、クロマキー置換可能なモノクロの背景映像を投影することで、出演者はスクリーンのモノクロ背景映像を視認しながら動作をすることができる。そしてそのモノクロ背景映像はクロマキー置換可能な映像であるので、撮影後のクロマキー合成できれいな背景映像を合成することができる。そして、さらに、クロマキー置換可能なモノクロ映像と合成部におけるクロマキー合成への背景映像出力を同期させる事で、撮影と同時にクロマキー処理を実行することができる。
【００７６】
<処理の流れ>
【００７７】
図１２は、本実施例のスタジオシステムにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【００７８】
この図１２にあるように、まず、撮影対象を載せた円形ターンテーブルを駆動し回転させる（ステップＳ１２０１）。また、円形ターンテーブルの端部に沿って設立されているスクリーンにクロマキー置換可能な映像を投影する（ステップＳ１２０２）。そして、操作パネルなどを利用した操作入力を受け付ける（ステップＳ１２０３）と、前記円形ターンテーブルの回転駆動の例えばタイミング、方向、スピードなどと、前記スクリーンのクロマキー置換可能な映像投影の例えば遷移のタイミング、方向、スピードなどと、を同期するよう制御し（ステップＳ１２０４）、撮影カメラで映像を撮影する（ステップＳ１２０５）。
【００７９】
つづいて前記クロマキー置換可能な映像投影と同期させて置換用映像を出力し（ステップＳ１２０５）、最後に前記撮影カメラで撮影した映像と前記出力された置換用映像とを合成する（ステップＳ１２０６）。
【００８０】
<効果の簡単な説明>
【００８１】
以上のように本実施例のスタジオシステムによって、クロマキー置換可能なモノクロの背景映像を投影することで、出演者はスクリーンのモノクロ背景映像を視認しながら動作をすることができる。そしてそのモノクロ背景映像はクロマキー置換可能な映像であるので、撮影後のクロマキー合成できれいな背景映像を合成することができる。そして、さらに、クロマキー置換可能なモノクロ映像と合成部におけるクロマキー合成への背景映像出力を同期させる事で、撮影と同時にクロマキー処理を実行することができる。
【００８２】
≪実施例５≫
【００８３】
<概要>
【００８４】
本実施例は、上記実施例３を基本としつつ、背景映像などを投影するための投影部を省略し、替わりにブルーバックスクリーンなどのクロマキー合成用スクリーンを利用して、撮影した映像に対しクロマキー合成することで全周囲などの映像を撮影するスタジオシステムである。そして本実施例では、クロマキー合成処理用に出力される背景映像などの出力と、円形ターンテーブルの回転駆動とが同期するよう制御することで、実施例４同様に、映像撮影と合成処理のタイミングの同期を図ることができる。したがってリアルタイムでのクロマキー合成処理が可能であることを特徴とする。
【００８５】
<機能的構成>
【００８６】
図１３は、本実施例のスタジオシステムにおける機能ブロックの一例を表す図である。この図にあるように、本実施例の「スタジオシステム」（１３００）は、上記実施例３を基本として、「円形ターンテーブル」（１３０１）と、「スクリーン」（１３０２）と、「撮影カメラ」（１３０３）と、「駆動部」（１３０４）と、「操作入力部」（１３０５）と、「同期制御部」（１３０６）と、を備える。ただし、実施例３と異なり「投影部」は有していない。また、「スクリーン」がクロマキー用のスクリーンであることも特徴とする。
【００８７】
そして、本実施例の特徴点は、スタジオシステムがさらに「第二合成部」（１３０７）と、「第二置換用映像出力部」（１３０８）と、「第二置換同期制御手段」（１３０９）と、を有する点である。
【００８８】
「第二合成部」（１３０７）は、撮影カメラの映像と置換用映像とを合成する機能を有する。なお、ブルーバックスクリーンなどのクロマキー用スクリーンを背景とする映像に置換用映像を合成する技術は通常のクロマキー合成処理と同様であるのでその詳細な説明は省略する。ただし、この第二合成部では、以降の構成要件の作用によってそのクロマキー合成を映像の撮影と同時にリアルタイムで実行することができることを特徴とする。
【００８９】
「第二置換用映像出力部」（１３０８）は、第二合成部（１３０７）にて合成に利用する置換用映像を出力する機能を有する。なお「合成に利用する置換用映像」とは、実施例４にて説明した通り色付の完全な背景映像をいう。
【００９０】
「第二置換同期制御手段」（１３０９）は、同期制御部（１３０６）に備えられ、第二置換用映像出力部（１３０８）をも同期制御する機能を有する。したがって、第二置換同期制御手段によってクロマキー合成処理用に第二合成部に出力される背景映像などの出力タイミング、映像の遷移方向、再生スピードなどと、円形ターンテーブルの回転タイミング、方向、スピードなどとが同期制御されることになる。したがって、第二合成部において処理用に入力される撮影映像と背景映像とをリアルタイムに処理することができる、という具合である。
【００９１】
<処理の流れ>
【００９２】
図１４は、本実施例のスタジオシステムにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【００９３】
この図１４にあるように、まず、撮影対象を載せた円形ターンテーブルを駆動し回転させる（ステップＳ１４０１）。そして、操作パネルなどを利用した操作入力を受け付ける（ステップＳ１４０２）と、撮影カメラで映像を撮影する（ステップＳ１４０３）。
【００９４】
つづいて前記円形ターンテーブルの回転駆動の例えばタイミング、方向、スピードなどと同期させて、置換用映像を合成処理用回路に出力し（ステップＳ１４０４）、前記撮影カメラで撮影した映像と前記出力された置換用映像とを合成する（ステップＳ１４０５）。
【００９５】
<効果の簡単な説明>
【００９６】
以上のように本実施例のスタジオシステムによって、クロマキー合成処理用に出力される背景映像などの出力と、円形ターンテーブルの回転駆動とが同期するよう制御することができる。したがって撮影映像と合成処理のタイミングの同期を図ることができ、リアルタイムでのクロマキー合成処理を行うことができる。
【図面の簡単な説明】
【００９７】
【図１】実施例１のスタジオシステムによる映像撮影の概要および構成の一例を説明するための図
【図２】実施例２のスタジオシステムのスクリーンの形態の一例を表す概念図
【図３】実施例２のスタジオシステムによる映像撮影の概要および構成の一例を説明するための図
【図４】実施例２のスタジオシステムのテレスコピッククレーンによる撮影の一例を説明するための図
【図５】実施例２のスタジオシステムのテレスコピッククレーンによる撮影カメラの円形ターンテーブル上空任意位置への移動の一例を表す概念図
【図６】実施例３のスタジオシステムにおける全周囲映像などの撮影方法の一例を表す概念図
【図７】実施例３のスタジオシステムにおける機能ブロックの一例を表す図
【図８】実施例３のスタジオシステムの駆動部と投影部との同期制御の一例を表す図
【図９】実施例３のスタジオシステムにおける処理の流れの一例を表すフローチャート
【図１０】実施例４のスタジオシステムにおける機能ブロックの一例を表す図
【図１１】実施例４のスタジオシステムの第一合成部におけるクロマキー合成処理の一例を説明するための概念図
【図１２】実施例４のスタジオシステムにおける処理の流れの一例を表すフローチャート
【図１３】実施例５のスタジオシステムにおける機能ブロックの一例を表す図
【図１４】実施例５のスタジオシステムにおける処理の流れの一例を表すフローチャート
【符号の説明】
【００９８】
０１０１  円形ターンテーブル
０１０２  スクリーン
０１０３  撮影カメラ
０７０４  駆動部
０７０５  投影部
０７０６  操作入力部
０７０７  同期制御部
【図１】
0004966231.tif 000002
【図２】
0004966231.tif 000003
【図３】
0004966231.tif 000004
【図４】
0004966231.tif 000005
【図５】
0004966231.tif 000006
【図６】
0004966231.tif 000007
【図７】
0004966231.tif 000008
【図８】
0004966231.tif 000009
【図９】
0004966231.tif 000010
【図１０】
0004966231.tif 000011
【図１１】
0004966231.tif 000012
【図１２】
0004966231.tif 000013
【図１３】
0004966231.tif 000014
【図１４】
0004966231.tif 000015